(57)【要約】【課題】  本発明は、従来の放電ランプの輝度と同等の輝度が得られるものでありながら、陽極の消耗を抑制することができる放電ランプを提供することを目的とする。【解決手段】  陽極先端面の陽極中心軸上に凹部が形成されたショートアーク型放電ランプ用の陽極であって、  前記陽極は、前記陽極先端面から内方側に向けて陥没して周方向に形成された陽極内壁面と、前記陽極内壁面に続いて前記陽極先端面よりも内方側に形成された平坦な陽極内底面と、前記陽極内壁面および前記陽極先端面の境界において周方向に形成され、陽極中心軸から径方向外方に離間した環状角部とを備えることを特徴とする。【選択図】  図２
2011014248.tif 000002
【特許請求の範囲】
【請求項１】
陽極先端面の陽極中心軸上に凹部が形成されたショートアーク型放電ランプ用の陽極であって、
前記陽極は、前記陽極先端面から内方側に向けて陥没して周方向に形成された陽極内壁面と、前記陽極内壁面に続いて前記陽極先端面よりも内方側に形成された平坦な陽極内底面と、前記陽極内壁面および前記陽極先端面の境界において周方向に形成され、陽極中心軸から径方向外方に離間した環状角部とを備えることを特徴とするショートアーク型放電ランプ用の陽極。
【請求項２】
陽極先端面の陽極中心軸上に凹部が形成された陽極と、陰極とが、発光管の内部に対向して配置されたショートアーク型放電ランプにおいて、
前記陽極は、前記陽極先端面から内方側に向けて陥没して周方向に形成された陽極内壁面と、前記陽極内壁面に続いて前記陽極先端面よりも内方側に形成された平坦な陽極内底面と、前記陽極内壁面および前記陽極先端面の境界において周方向に形成され、陽極中心軸から径方向外方に離間した環状角部とを備えることを特徴とするショートアーク型放電ランプ。
【発明の詳細な説明】
【技術分野】
【０００１】
紫外線を半導体基板に向けて照射することによって微細な回路パターンを形成する露光装置用の光源として使用されるショートアーク型放電ランプ用の陽極およびショートアーク型放電ランプに関する。
【背景技術】
【０００２】
従来のショートアーク型の放電ランプは、中央部が膨出した石英ガラス製の発光管と、この発光管の膨出部の内部に対向して配置された陽極および陰極等を備えて構成されるものが知られている。この放電ランプに通電すると、陰極から放出された電子がランプ内の気体と衝突して荷電粒子を生成する。それらの荷電粒子が、衝突を繰り返して発光管の内部に封入した水銀等がプラズマ状態になり、陽極に流通して両極間にアークが形成されるようになっている。
【０００３】
放電ランプを点灯すると、陰極から放出された電子の衝突によりアークが形成され、陽極は、そのアーク柱の中の電子が衝突することによって加熱されて高温になり、蒸発、消耗する。さらに、電子の衝突によって陽極が消耗すると、蒸発したタングステンが発光管の内壁に付着して内壁面を黒化させる。そして、放電ランプを長時間使用すると、陽極の先端部の消耗が進行すると共に、放電ランプの放射強度が順次低下し、この放射強度の低下が使用限度を超えた場合は、放電ランプを新品のものに交換する必要があった。
【０００４】
そこで、陽極が放電ランプの点灯時に温度上昇することを抑制することにより、陽極の消耗と発光管の内壁面の黒化の進行を遅らせる対策が、従来より様々に検討されている。
【０００５】
例えば、特許文献１によれば、陽極の先端部を除く側面に炭化タングステン（ＷＣ）と炭化タンタル（ＴａＣ）とタングステン（Ｗ）からなる混合物を焼結して多孔質層が形成され、これにより、多孔質層と母材の密着性が良いので陽極の温度上昇を適切に抑制することが可能になり、陽極の消耗と発光管の内壁面の黒化を少なくして、放電ランプの寿命を延長することができる、とされている。
【０００６】
しかしながら、前記の陽極構造は、三種類の高融点物質、すなわち炭化タングステン、炭化タンタルおよびタングステンの混合物を陽極の表面に焼結するため陽極構造が複雑になることに加え、製造工程が複雑になるため陽極の製造に長時間を要する、という問題があった。
【０００７】
特許文献２、３および４のそれぞれに示す陽極４３は、図５（Ａ）に示すように、陰極４２に対向する陽極先端部に凹部４３Ａが設けられ、この凹部４３Ａは、陰極４２から放出される電子を受け止める点で発生する電界の強さを近づけるように形成されている。これら文献によれば、陽極表面での電流密度分布が分散されるようにして、陽極の消耗を少なくして放電ランプの寿命を延長することができる、と言われている。
【０００８】
しかしながら、上記の図５（Ａ）に示す陽極構造は、後述するように（００３１参照）、凹部４３Ａのエッジ部４３１Ａに引き寄せられる電流の割合が小さいことにより、陽極中心付近への電流の局所的な集中を十分に抑制することができないため、電極の消耗を十分に抑制することができない、という問題があった。
【０００９】
特許文献５に示すショートアーク型の放電ランプは、上記したように、陽極の陰極に対向する先端に凹部を設け、かつ、陰極の先端を凹部との関係で所定の場所に配置している。同文献によれば、アーク輝点からの放射光を陽極の凹部によって反射させ、さらに凹部で反射した光を陰極の先端円錐部で反射させることによって、放電ランプにおける光の利用効率を高めることができる、と言われている。
【００１０】
しかしながら、同文献の陽極構造は、特許文献２ないし４に開示される陽極と同様に、陽極に形成された凹部のエッジ部に引き寄せられる電流の割合が小さいことにより、陽極中心付近への電流の局所的な集中を十分に抑制することができないため、電極の消耗を十分に抑制することができない、という問題があった。
【００１１】
さらに、特許文献６に示すショートアーク型の放電ランプは、図５（Ｂ）に示すように、陽極４３の先端部の平坦面において、その中心から電極間距離の４０％を超える位置に、輪帯凹部４３Ｂが設けられている。同文献によれば、陽極４３の先端部の平坦面にカルデラ状のへこみが発生する場合であっても、マイグレーションによって移動した電極構成物質を、事前に陽極４３の先端部の平坦面に形成した輪帯凹部４３Ｂに堆積させることにより、陽極の先端部の平坦面が変形することを防止することができる、と言われている。
【００１２】
しかしながら、同文献の陽極構造は、図５（Ｂ）に示すように、内周側の角部Ｂの電界の強度が、外周側の角部Ａの電界の強度よりも高いため、内周側の角部Ｂの内側領域に電流が集中する。この角部Ｂに流入したエネルギーは、陽極径方向外側への流出が輪帯凹部４３Ｂにより阻害され、輪帯凹部４３Ｂに取り囲まれた中央部４３１Ｂにおける軸方向へのみ伝導される。したがって、実質的にエネルギーの流出経路が狭められたことになるので、中央部４３１Ｂの温度が他の領域の温度よりも高くなる。これにより、陽極の中央部分が蒸発し易くなる結果、放電ランプの照度維持率が低下するといった問題があった。
【００１３】
このように、上記した従来の各放電ランプによれば、陽極の消耗を抑制することは困難であった。
【先行技術文献】
【特許文献】
【００１４】
【特許文献１】特許第３５９８４７５号
【特許文献２】特許第３１３６５１１号
【特許文献３】特許第４０５４１９８号
【特許文献４】特許第４１３２８７９号
【特許文献５】特開２００４−１１９０２４
【特許文献６】特開２００３−３４６７０９
【発明の概要】
【発明が解決しようとする課題】
【００１５】
本発明は、上記の問題に鑑み、従来の放電ランプの輝度と同等の輝度が得られるものでありながら、陽極の消耗を抑制することができる放電ランプを提供することを目的とする。
【課題を解決するための手段】
【００１６】
ショートアーク型放電ランプにおいては、放電ランプが備える陽極および陰極の間に電圧を印加することによって、陰極先端部から電子が陽極に向けて放出されて、陽極と陰極の間にアークが形成される。当該放電ランプの分野においては、原則として、陽極中心軸に近付くにつれて電界強度が高いことにより、陽極中心方向に電子が引き付けられるため、陽極中心軸付近のアークの電流密度が高いことが知られている。
そのため、従来の放電ランプにおいては、放電ランプの点灯時間が経過するにつれて、アークの電流密度の高い陽極の中心軸付近の部位が消耗して、陽極の中心軸付近の部位に凹みが形成されるものと考えられる。
【００１７】
本発明者は、前記した陽極の凹みという問題について鋭意検討した結果、以下の知見を得た。
（１）陽極中心軸から径方向外方に離間した箇所に電流密度の比較的高い領域を作り出し、これにより、陽極中心軸の付近の電流密度が従来よりも低減されるようにすれば、陽極の消耗の抑制に繋がる。
（２）電流密度が陽極中心軸に近付くにつれて高くなるようにして、電流密度を陽極が消耗しない程度に高くすることにより、従来の放電ランプの輝度と同等の輝度を得ることができる。
本発明は、これらの知見に基づき、次のようにして前記課題を解決する。
【００１８】
請求項１の発明は、陽極先端面の陽極中心軸上に凹部が形成されたショートアーク型放電ランプ用の陽極であって、
前記陽極は、前記陽極先端面から内方側に向けて陥没して周方向に形成された陽極内壁面と、前記陽極内壁面に続いて前記陽極先端面よりも内方側に形成された平坦な陽極内底面と、前記陽極内壁面および前記陽極先端面の境界において周方向に形成され、陽極中心軸から径方向外方に離間した環状角部とを備えることを特徴とする。
【００１９】
請求項２の発明は、陽極先端面の陽極中心軸上に凹部が形成された陽極と、陰極とが、発光管の内部に対向して配置されたショートアーク型放電ランプにおいて、
前記陽極は、前記陽極先端面から内方側に向けて陥没して周方向に形成された陽極内壁面と、前記陽極内壁面に続いて前記陽極先端面よりも内方側に形成された平坦な陽極内底面と、前記陽極内壁面および前記陽極先端面の境界において周方向に形成され、陽極中心軸から径方向外方に離間した環状角部とを備えることを特徴とする。
【発明の効果】
【００２０】
本発明の陽極は、陽極先端面よりも内方側に平坦に形成された陽極内底面と、陽極中心軸の径方向外方に離間して周方向に形成された環状角部とを有する凹部を備えるので、陰極と陽極の間に形成されるアーク中の電子が、陽極内底面と環状角部のそれぞれに分散して集中するようになり、したがって、陽極中心軸付近の電流密度が陽極が消耗しない程度に高い状態になるため、従来の放電ランプの輝度と同等の輝度が得られるものでありながら、陽極の消耗を抑制して放電ランプの寿命を延長することができる。
【図面の簡単な説明】
【００２１】
【図１】本発明のショートアーク型放電ランプの構成の概略を示す断面図である。
【図２】図１に示すＡ部を拡大した部分拡大図である。
【図３】アーク中の電子密度分布を陽極と共に示す概念図である。
【図４】本発明の放電ランプと従来の放電ランプとについて測定した照度維持率のデータを示すグラフである。
【図５】従来の陽極の構成を陰極の構成と共に示す断面図である。
【発明を実施するための形態】
【００２２】
図１は、本発明のショートアーク型の放電ランプの構成の概略を示す断面図である。図２は、陰極および陽極の先端部を拡大して示す部分拡大図である。
放電ランプ１０は、略球状に形成された発光部１１と発光部１１の両端のそれぞれに連続する直管状の封止部１２Ａおよび１２Ｂとで構成される発光管１を備えている。発光管１は、例えば石英ガラスによって一体的に形成されている。封止部１２Ａおよび１２Ｂには、それぞれ円筒形状を有する給電用の口金１３Ａおよび１３Ｂが装着されている。
発光管１の内部に形成された放電空間Ｓには、陰極２と陽極３とが、陽極中心軸Ｘ上において互いに対向して配置されると共に発光物質が封入されている。
発光物質は、室温で０．５ＭＰａ以上のキセノンガス若しくはアルゴンガスと、１ｍｇ／ｃｃ以上の水銀が封入されている。なお、発光物質として、これらの希ガスおよび水銀のうち、いずれか一方のみが封入されていても良い。
【００２３】
陰極２は、封止部１２Ａに保持されると共に放電空間Ｓに臨出する円柱状の胴部２Ａと、胴部２Ａの先端に続いて先端に向かうに従って次第に外径が細くなる円錐状に形成された先端部２Ｂとが、例えばタングステンによって一体的に形成されている。
【００２４】
陽極３は、円柱状の胴部３Ｂと、胴部３Ｂの先端側と基端側のそれぞれに続いて形成される円錐台部３Ａおよび３Ｃとが、例えばタングステンによって一体的に形成されている。基端側の円錐台部３Ｃには、胴部３Ｂよりも小径のロッド状のリード部（不図示）が一体的に続いており、リード部が封止部１２Ｂに保持されている。
【００２５】
図２は、図１に示すＡ部を拡大して示す部分拡大図である。図２（Ａ）は、陽極中心軸Ｘを含む断面図である。図２（Ｂ）は、図２（Ａ）に示す矢印Ｂの方向から陽極先端面を見た正面図である。
円錐台部３Ａは、図２に示すように、先端部に平坦な陽極先端面３Ｄが形成されると共に、陽極中心軸Ｘを含むようにして陽極先端面３Ｄに凹部３０が形成されている。
凹部３０は、陽極中心軸Ｘを含む断面が矩形状であり、即ち円柱形状を有する。なお、凹部３０は、円柱形状に限らず、回転円錐台形状であっても良い。
【００２６】
凹部３０は、陽極先端面３Ｄから陽極３の内方側に向けて陥没することにより、陽極先端面３Ｄに続いて円周方向に形成される陽極内壁面３０Ａと、陽極先端面３Ｄよりも内方側（陰極２の先端部２Ｂから遠ざかる側）に位置して、陽極中心軸Ｘに対して垂直方向に広がり、かつ、平坦な円形に形成された陽極内底面３０Ｂと、陽極先端面３Ｄおよび陽極内壁面３０Ａの境界において、円周方向にわたって形成される環状角部３０Ｃとで構成される。環状角部３０Ｃは、陽極中心軸Ｘから径方向に離間して形成されている。
【００２７】
本発明の放電ランプは、陰極２と陽極３との間に高電圧を印加すると、陰極２と陽極３との間にアークが形成される。
陽極３においては、上記した放電ランプの原則（段落００１６参照）に従い、陽極中心軸Ｘに近付くにつれて電界強度が高くなるが、陽極中心軸Ｘから径方向外方に離間した位置に環状角部３０Ｃを備えるため、当該位置においても電界強度が高い状態になる。
つまり、陽極３は、陽極中心軸Ｘ近辺の電界強度および環状角部３０Ｃの電界強度の双方が高い状態になることによって、陰極２から発した電子が陽極中心軸Ｘ近辺および環状角部３０Ｃのそれぞれに分散して引き付けられるため、陽極中心軸Ｘ近辺に引き付けられる電子の量が低減される。
【００２８】
さらに、陽極３は、陽極先端面３Ｄよりも陽極の内方側に陽極内底面３０Ｂを備え、陽極内底面３０Ｂが平坦に形成され、陽極内底面３０Ｂでは、上記した放電ランプの原則（段落００１６参照）に従い、陽極中心軸Ｘ近辺の電流密度が高い状態になる。
【００２９】
換言すれば、陽極３は、陽極内底面３０Ｂと環状角部３０Ｃの双方を備えることにより、陰極２から発した電子の一部が陽極中心軸Ｘの径方向外方に位置する環状角部３０Ｃに引き付けられ、環状角部３０Ｃに引き付けられなかった余の電子が陽極内底面３０Ｂの陽極中心軸Ｘ近辺に集まって、陽極中心軸Ｘ近辺の電流密度が陽極が消耗しない程度に高くなる。
【００３０】
図３は、図２に示す陽極を備える本発明の放電ランプと、図５（Ａ）に示す陽極を備える従来の放電ランプとのそれぞれについて、アーク中の電界強度分布のシュミレーション結果を示す。図３の縦軸は電界強度、横軸は陽極中心軸Ｘからの距離を示す。図３の実線は本発明の陽極の電界強度、破線は従来の陽極（図５（Ａ）に図示）の電界強度を示す。
【００３１】
図３に実線で示すように、本発明の陽極は、電界強度の鋭いピークが陽極中心軸Ｘの周辺の、凹部３０の環状角部３０Ｃに対応する位置に表れており、環状角部３０Ｃにアーク中の電子が集中する様子が推察される。したがって、本発明の陽極は、環状角部３０Ｃに引き寄せられる電流の割合が大きくなると推測される。
一方、従来の陽極（図５（Ａ）に図示）は、このようなピークは見られないことから、凹部４３Ａのエッジ部４３１Ａに引き寄せられる電流の割合が小さいと推測される。
【００３２】
このように、本発明の陽極３を備える放電ランプは、陽極中心軸Ｘの径方向外方に離間するように形成された環状角部３０Ｃを有することにより、陽極中心軸Ｘ近傍と環状角部３０Ｃとの双方に電流が分散されるので、陽極中心軸Ｘ近傍への局所的な電流の集中が緩和され、しかも、陽極内底面３０Ｂを有することにより、陽極中心軸Ｘ近辺の電流密度が陽極が消耗しない程度に適度に高くなる。
したがって、本発明の陽極３を備える放電ランプは、従来の放電ランプの輝度と同等の輝度が得られるものでありながら、従来の陽極を備える放電ランプに比べ、陽極の消耗を確実に抑制することができる。
【００３３】
なお、陽極３に設けられた凹部３０の深さＨ（陽極先端面３Ｄと陽極内底面３０Ｂとの距離）は、放電ランプの仕様に応じて適宜決定されるが、０．１ｍｍ〜０．５ｍｍの範囲であることが好ましい。
【００３４】
凹部３０の深さＨが０．１ｍｍ未満であると、環状角部３０Ｃにおける電界強度が高くならないので、陰極２から発した電子を十分に引き付けることができないので、陽極の消耗を抑制することができない。
また、凹部３０の深さＨが０．５ｍｍを超えると、陰極２と陽極３との間の距離が長くなって放電ランプのランプ電圧が上昇し、これにより、ランプ電流が低下するため（この種の放電ランプは、定電力の点灯用電源で点灯することが一般的であるから、ランプ電圧およびランプ電流のいずれか一方が上昇すれば、他方は低下する）、放射輝度が低下する。これに加え、凹部３０の深さＨが０．５ｍｍを超えると、アークが径方向に広がるために、集光効率が低下して、露光装置等の露光面照度が低下する。
【００３５】
以下に本発明の効果を確認するために行った実験およびその実験の結果について説明する。
実験を行うにあたり、本発明、比較例１、比較例２の放電ランプを図１に示す構成に従ってそれぞれ作製した。各放電ランプの詳細は、以下のとおりである。
【００３６】
＜本発明の放電ランプ＞
（ランプ）
・電極間距離                ：１０ｍｍ
・水銀封入量                ：２５ｍｇ／ｃｃ
・希ガス封入量              ：０．１５ＭＰａ
・入力電力                  ：１０ｋW
（陽極）
・凹部あり
・凹部（３０）の直径Ｄ      ：５ｍｍ
・凹部（３０）の深さＨ      ：０．４ｍｍ
・陽極内底面（３０Ｂ）の形状：平坦
【００３７】
＜比較例1の放電ランプ＞
（ランプ）
本発明の放電ランプと同じ
（陽極）
凹部なし
【００３８】
＜比較例２の放電ランプ＞
（ランプ）
本発明の放電ランプと同じ
（陽極）
・凹部あり
・凹部（４３Ａ）の直径Ｄ      ：５ｍｍ
・凹部（４３Ａ）の深さＨ      ：０．４ｍｍ
・陽極内底面の形状            ：球面  （図５（Ａ）に図示）
【００３９】
＜比較例３の放電ランプ＞
（ランプ）
本発明の放電ランプと同じ
（陽極）
・凹部あり：輪帯凹部
・輪帯凹部（４３Ｂの角部Ａ側）の直径Ｄ        ：５ｍｍ
・輪帯凹部（４３Ｂ）の幅（角部ＡＢ間の距離）  ：１ｍｍ
・輪帯凹部（４３Ｂ）の深さＨ                  ：０．４ｍｍ
・陽極輪帯凹部の形状                          ：輪帯状溝  （図５（Ｂ）に図示）
【００４０】
上記の各放電ランプを定電力の点灯用電源を用いて点灯させ、各放電ランプの放射照度維持率を測定した。その結果を図４に示す。図４の縦軸は放射照度維持率、横軸は点灯時間を示す。
【００４１】
放射照度維持率は陽極の消耗に密接に関係している。つまり、放射照度維持率が高いことは、陽極の消耗が抑制されたことを示す。
図４に示すように、点灯開始から８００時間経過後の放射照度維持率は、本発明の放電ランプが９５％、比較例１の放電ランプが８４％、比較例２の放電ランプが９２％、比較例３の放電ランプが８６％、であることが確認された。
上記の結果から、本発明の放電ランプは、比較例１、比較例２および比較例３の放電ランプに比べて、陽極の消耗を抑制することができることが確認された。
【００４２】
以上のように、本発明の陽極３によれば、陽極先端面３Ｄよりも内方側に位置し、平坦に形成された陽極内底面３０Ｂと、陽極中心軸Ｘから径方向外方に離間して周方向に形成された環状角部３０Ｃとを有する凹部３０を備えるので、陰極２と陽極３の間に形成されるアーク中の電子が、陽極内底面３０Ｂと環状角部３０Ｃのそれぞれに分散して集中する。したがって、陽極中心軸Ｘ付近の電流密度が、陽極が消耗しない程度に高い状態になるため、従来の放電ランプの輝度と同等の輝度が得られるものでありながら、陽極の消耗を抑制して放電ランプ１０の寿命を延長することができる。
【符号の説明】
【００４３】
１０            放電ランプ
１                発光管
１１              発光部
１２Ａ、１２Ｂ    封止部
１３Ａ、１３Ｂ    口金
２                陰極
２Ａ              胴部
２Ｂ              先端部
３                陽極
３Ａ              円錐台部
３Ｂ              胴部
３Ｃ              円錐台部
３Ｄ              陽極先端面
３０              凹部
３０Ａ            陽極内壁面
３０Ｂ            陽極内底面
３０Ｃ            環状角部
【図１】
2011014248.tif 000003
【図２】
2011014248.tif 000004
【図３】
2011014248.tif 000005
【図４】
2011014248.tif 000006
【図５】
2011014248.tif 000007
【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
陽極先端面の陽極中心軸上に凹部が形成されたショートアーク型放電ランプ用の陽極であって、
前記陽極は、前記陽極先端面から内方側に向けて陥没して周方向に形成された陽極内壁面と、前記陽極内壁面に続いて前記陽極先端面よりも内方側に形成された深さが０．１ｍｍ〜０．５ｍｍの平坦な陽極内底面と、前記陽極内壁面および前記陽極先端面の境界において周方向に形成され、陽極中心軸から径方向外方に離間した環状角部とを備えることを特徴とするショートアーク型放電ランプ用の陽極。
【請求項２】
陽極先端面の陽極中心軸上に凹部が形成された陽極と、陰極とが、発光管の内部に対向して配置されたショートアーク型放電ランプにおいて、
前記陽極は、前記陽極先端面から内方側に向けて陥没して周方向に形成された陽極内壁面と、前記陽極内壁面に続いて前記陽極先端面よりも内方側に形成された深さが０．１ｍｍ〜０．５ｍｍの平坦な陽極内底面と、前記陽極内壁面および前記陽極先端面の境界において周方向に形成され、陽極中心軸から径方向外方に離間した環状角部とを備えることを特徴とするショートアーク型放電ランプ。
【手続補正２】
【補正対象書類名】明細書
【補正対象項目名】００１８
【補正方法】変更
【補正の内容】
【００１８】
請求項1の発明は、陽極先端面の陽極中心軸上に凹部が形成されたショートアーク型放電ランプ用の陽極であって、前記陽極は、前記陽極先端面から内方側に向けて陥没して周方向に形成された陽極内壁面と、前記陽極内壁面に続いて前記陽極先端面よりも内方側に形成された深さが０．１ｍｍ〜０．５ｍｍの平坦な陽極内底面と、前記陽極内壁面および前記陽極先端面の境界において周方向に形成され、陽極中心軸から径方向外方に離間した環状角部とを備えることを特徴とする。
【手続補正３】
【補正対象書類名】明細書
【補正対象項目名】００１９
【補正方法】変更
【補正の内容】
【００１９】
請求項２の発明は、陽極先端面の陽極中心軸上に凹部が形成された陽極と、陰極とが、発光管の内部に対向して配置されたショートアーク型放電ランプにおいて、前記陽極は、前記陽極先端面から内方側に向けて陥没して周方向に形成された陽極内壁面と、前記陽極内壁面に続いて前記陽極先端面よりも内方側に形成された深さが０．１ｍｍ〜０．５ｍｍの平坦な陽極内底面と、前記陽極内壁面および前記陽極先端面の境界において周方向に形成され、陽極中心軸から径方向外方に離間した環状角部とを備えることを特徴とする。